(57)【特許請求の範囲】
【請求項１】
同一情報を所要受信Ｃ／Ｎの異なる複数の伝送方式を組み合わせて伝送される階層化伝送放送信号を受信するデジタル放送受信機において、復調出力中のビット誤り率を検出するビット誤り率検出部を備えて高階層情報信号を受信する高階層情報受信ブロックと、低階層情報信号を受信する低階層情報受信ブロックと、ビット誤り率検出部による検出ビット誤り率に基づいて高階層情報受信ブロックから出力されるビデオ信号出力とオーディオ信号出力と低階層情報受信ブロックから出力されるビデオ信号出力とオーディオ信号出力とからのビデオ信号出力とのオーディオ信号出力を選択して出力させるビデオ／オーディオ切り換え手段とを備え、前記ビデオ／オーディオ切り換え手段は、検出ビット誤り率が予め定めた第１の値未満のときは高階層情報受信ブロックから出力されるビデオ信号出力とオーディオ信号出力とを選択して出力し、検出ビット誤り率が予め定めた第１の値以上であって第１の値より大きい予め定めた第２の値未満のときは高階層情報受信ブロックから出力されるビデオ信号出力と低階層情報受信ブロックから出力されるオーディオ信号出力とを選択して出力し、検出ビット誤り率が第２の値以上のときは低階層情報受信ブロックから出力されるビデオ信号出力とオーディオ信号出力とを選択して出力することを特徴とするデジタル放送受信機。
【請求項２】
同一情報を所要受信Ｃ／Ｎの異なる複数の伝送方式を組み合わせて伝送される階層化伝送放送信号を受信するデジタル放送受信機において、受信信号からＣ／Ｎを検出するＣ／Ｎ検出部を備えて高階層情報信号を受信する高階層情報受信ブロックと、低階層情報信号を受信する低階層情報受信ブロックと、Ｃ／Ｎ検出部による検出Ｃ／Ｎに基づいて高階層情報受信ブロックから出力されるビデオ信号出力とオーディオ信号出力と低階層情報受信ブロックから出力されるビデオ信号出力とオーディオ信号出力とから一のビデオ信号出力と一のオーディオ信号出力を選択して出力させるビデオ／オーディオ切り換え手段とを備え、前記ビデオ／オーディオ切り換え手段は、検出Ｃ／Ｎが予め定めた第１の値未満のときは低階層情報受信ブロックから出力されるビデオ信号出力とオーディオ信号出力とを選択して出力し、検出Ｃ／Ｎが第１の値以上であってかつ第１の値より大きい予め定めた第２の値未満のときは高階層情報受信ブロックから出力されるビデオ信号出力と低階層情報受信ブロックから出力されるオーディオ信号出力とを選択して出力し、検出Ｃ／Ｎが第２の値以上のときは高階層情報受信ブロックから出力されるビデオ信号出力とオーディオ信号出力とを選択して出力することを特徴とするデジタル放送受信機。
【発明の詳細な説明】
【０００１】
【発明の属する技術分野】
本発明はデジタル放送受信機に関する。
【０００２】
【従来の技術】
ＢＳデジタル放送では、所要受信Ｃ／Ｎ（Ｃ／Ｎは搬送波の電力と雑音の電力の比である）の異なる複数の伝送方式を組み合わせて用いる階層化伝送が行われている。さらにいえば、同一情報の映像が高階層情報には伝送効率が優れた８ＰＳＫ変調方式を用いて、低階層情報には低Ｃ／Ｎでも受信可能なＱＰＳＫ変調方式、ＢＰＳＫ変調方式を用いて同時に放送する階層化伝送による放送が行われている。
【０００３】
これは、高階層情報あるいは低階層情報の放送を選択することによって電波状態が悪い中でも視聴者が放送内容を快適に視聴することができるようにするためである。
【０００４】
このようなＢＳデジタル放送を受信するデジタル放送受信機は図４に示すように構成されている。
【０００５】
図４に示すデジタル放送受信機は、アンテナ１により受信した放送電波に基づく受信信号をチューナ部３１に供給して、周波数制御部３２からの信号に基づき受信放送を選択し、チューナ部３１から出力される中間周波信号を復調部３３に供給して高階層変調信号（例えば８ＰＳＫ変調信号）と低階層変調信号（例えばＢＰＳＫ変調信号）を復調し、誤り訂正部３４において復調出力中の高階層復調出力および低階層復調出力の誤り訂正を行い、誤り訂正された復調出力中から高階層復調出力と低階層復調出力との一方を、階層分離復号部３５で高階層／低階層選択制御部３７から出力される視聴者による指示に基づき選択し、選択された階層復調出力を復号し、復号された出力をビデオ／オーディオデコーダ部３６においてビデオ信号出力とオーディオ信号出力にデコードして出力する。
【０００６】
【発明が解決しようとする課題】
しかし、上記した従来のデジタル放送受信機によるときは、受信電波の悪さの状況によっては、高階層放送信号を選択すると、毎秒の映像数が減少、いわゆるコマ落ちしているがある程度きれいな映像で見ることはできるものの、音声を含む音響は途切れた音響になって聴取することができなかったりする等の問題点がある。
【０００７】
また、同じ電波状況で低階層情報信号を選択すると、音響はきれいに出力されて聴取することができるものの、映像は毎秒の映像数の減少はないが伝送レートが低いため映像がぼやけて見えたり、画像中の人物の動作に滑らかさがなかったりする等の問題点があった。
【０００８】
本発明は、電波状況が悪化したときでも、ある程度満足のいく映像および音響で放送内容を視聴することができるデジタル放送受信機を提供することを目的とする。
【０００９】
【課題を解決するための手段】
本発明のデジタル放送受信機は、同一情報を所要受信Ｃ／Ｎの異なる複数の伝送方式を組み合わせて伝送される階層化伝送放送信号を受信するデジタル放送受信機において、復調出力中のビット誤り率を検出するビット誤り率検出部を備えて高階層情報信号を受信する高階層情報受信ブロックと、低階層情報信号を受信する低階層情報受信ブロックと、ビット誤り率検出部による検出ビット誤り率に基づいて高階層情報受信ブロックから出力されるビデオ信号出力とオーディオ信号出力と低階層情報受信ブロックから出力されるビデオ信号出力とオーディオ信号出力とからのビデオ信号出力とのオーディオ信号出力を選択して出力させるビデオ／オーディオ切り換え手段とを備え、前記ビデオ／オーディオ切り換え手段は、検出ビット誤り率が予め定めた第１の値未満のときは高階層情報受信ブロックから出力されるビデオ信号出力とオーディオ信号出力とを選択して出力し、検出ビット誤り率が予め定めた第１の値以上であって第１の値より大きい予め定めた第２の値未満のときは高階層情報受信ブロックから出力されるビデオ信号出力と低階層情報受信ブロックから出力されるオーディオ信号出力とを選択して出力し、検出ビット誤り率が第２の値以上のときは低階層情報受信ブロックから出力されるビデオ信号出力とオーディオ信号出力とを選択して出力することを特徴とする。
【００１１】
本発明のデジタル放送受信機は、同一情報を所要受信Ｃ／Ｎの異なる複数の伝送方式を組み合わせて伝送される階層化伝送放送信号を受信するデジタル放送受信機において、受信信号からＣ／Ｎを検出するＣ／Ｎ検出部を備えて高階層情報信号を受信する高階層情報受信ブロックと、低階層情報信号を受信する低階層情報受信ブロックと、Ｃ／Ｎ検出部による検出Ｃ／Ｎに基づいて高階層情報受信ブロックから出力されるビデオ信号出力とオーディオ信号出力と低階層情報受信ブロックから出力されるビデオ信号出力とオーディオ信号出力とから一のビデオ信号出力と一のオーディオ信号出力を選択して出力させるビデオ／オーディオ切り換え手段とを備え、前記ビデオ／オーディオ切り換え手段は、検出Ｃ／Ｎが予め定めた第１の値未満のときは低階層情報受信ブロックから出力されるビデオ信号出力とオーディオ信号出力とを選択して出力し、検出Ｃ／Ｎが第１の値以上であってかつ第１の値より大きい予め定めた第２の値未満のときは高階層情報受信ブロックから出力されるビデオ信号出力と低階層情報受信ブロックから出力されるオーディオ信号出力とを選択して出力し、検出Ｃ／Ｎが第２の値以上のときは高階層情報受信ブロックから出力されるビデオ信号出力とオーディオ信号出力とを選択して出力することを特徴とする。
【００１３】
【発明の実施の形態】
以下、本発明にかかるデジタル放送受信機を実施の一形態によって説明する。
【００１４】
図１は本発明の実施の一形態にかかるデジタル放送受信機を示すブロック図である。
【００１５】
本発明の実施の一形態にかかるデジタル放送受信機Ｅは、高階層情報信号を受信する高階層情報受信ブロックＦと低階層情報信号を受信する低階層情報受信ブロックＧとを備えている。
【００１６】
高階層情報受信ブロックＦは、アンテナ１により受信した放送電波に基づく受信信号をチューナ部１１に供給して、周波数制御部３２からの信号に基づき受信放送を選択し、チューナ部１１から出力される中間周波信号を復調部１２に供給して高階層変調信号を復調し、誤り訂正部１３において高階層復調出力中の誤り訂正を行い、誤り訂正された高階層復調出力を復号部１４において復号し、復号された出力をビデオ／オーディオデコーダ部１５においてビデオ信号出力とオーディオ信号出力にデコードして出力する。復調部１２における高階層復調出力を受けてビットエラー率検出部１６でビットエラー率を検出する。
【００１７】
低階層情報受信ブロックＧは、アンテナ１により受信した放送電波に基づく受信信号をチューナ部２１に供給して、周波数制御部３２からの信号に基づき受信放送を選択し、チューナ部２１から出力される中間周波信号を復調部２２に供給して低階層変調信号を復調し、誤り訂正部２３において低階層復調出力中の誤り訂正を行い、誤り訂正された低階層復調出力を復号部２４において復号し、復号された出力をビデオ／オーディオデコーダ部２５においてビデオ信号出力とオーディオ信号出力にデコードして出力する。復調部１２における低階層復調出力を受けてビットエラー率検出部２６でビットエラー率を検出する。
【００１８】
デジタル放送受信機Ｅは、さらに、ビデオ／オーディオデコーダ部１５とビデオ／オーディオデコード部２５にてデコードされたビデオ信号の一方とオーディオ信号の一方とを選択して出力させるビデオ／オーディオ切り換え部２７と、ビットエラー率検出部１６で検出したビットエラー率を受けて、予め定めた所定ビットエラー率に基づいてビデオ／オーディオ切り換え部２７による切り換えを制御する制御部２８を備えている。一方、ビットエラー率検出部２６で検出したビットエラー率を受けて予め定めた所定ビットエラー率に基づいて警報を発生させる警報部２９を備えている。
【００１９】
上記のように構成されたデジタル放送受信機Ｅの高階層情報受信ブロックＦでは、アンテナ１により受信された放送電波に基づく受信信号はチューナ部１１に供給されて、周波数制御部３２からの信号に基づき受信放送が選択され、チューナ部１１から出力される中間周波信号が復調部１２に供給され、高階層変調信号が復調される。復調された高階層復調出力は誤り訂正部１３において復調出力中の誤り訂正が行われ、誤り訂正された復調出力が復号部１４において復号され、復号された出力がビデオ／オーディオデコーダ部１５においてビデオ信号出力とオーディオ信号出力とにデコードされる。
【００２０】
同様に、デジタル放送受信機Ｅの低階層情報受信ブロックＧでは、アンテナ１により受信された放送電波に基づく受信信号はチューナ部２１に供給されて、周波数制御部３２からの信号に基づき受信放送が選択され、チューナ部２１から出力される中間周波信号が復調部２２に供給され、低階層変調信号が復調される。復調された低階層復調出力は誤り訂正部２３において復調出力中の誤り訂正が行われ、誤り訂正された復調出力が復号部２４において復号され、復号された出力がビデオ／オーディオデコーダ部２５においてビデオ信号出力とオーディオ信号出力とにデコードされる。
【００２１】
さらに、ビットエラー率検出部１６で検出されたビットエラー率を受けて制御部２８では、検出ビットエラー率が予め定めたビットエラー率Ａ未満のとき、ビデオ／オーディオ切り換え部２７によってビデオ／オーディオデコーダ部１５においてデコードされたビデオ信号出力とオーディオ信号出力とが制御部２８の制御の下に選択されて出力される。
【００２２】
ビットエラー率検出部１６で検出された検出ビットエラー率を受けて制御部２８では、検出ビットエラー率が予め定めたビットエラー率Ａ以上でかつ予め定めたビットエラー率Ｂ（Ｂ＞Ａ）未満のとき、ビデオ／オーディオ切り換え部２７によってビデオ／オーディオデコーダ部１５においてデコードされたビデオ信号出力とビデオ／オーディオデコーダ部２５においてデコードされたオーディオ信号出力とが制御部２８の制御の下に選択されて出力される。
【００２３】
ビットエラー率検出部１６で検出された検出ビットエラー率を受けて制御部２８では、検出ビットエラー率が予め定めたビットエラー率Ｂ以上のとき、ビデオ／オーディオ切り換え部２７によってビデオ／オーディオデコーダ部２５においてデコードされたビデオ信号出力とオーディオ信号出力とが制御部２８の制御の下に選択されて出力される。
【００２４】
ここで、ビットエラー率検出部１６にて検出されたビットエラー率とＣ／Ｎとの関係は図２に示す如くであり、検出ビットエラー率が良いとき、すなわち検出ビットエラー率がＡ未満のときはビデオ信号出力およびオーディオ信号出力は高階層情報受信ブロックＦの出力を選択する。検出ビットエラー率が悪化してきて検出ビットエラー率がＡ以上Ｂ未満のときは、ビデオ信号出力は高階層情報受信ブロックＦからの出力を選択し、かつオーディオ信号出力は低階層情報受信ブロックＧからの出力を選択する。検出ビットエラー率がさらに悪化してきて、検出ビットエラー率がＢ以上のときにはビデオ信号出力およびオーディオ信号出力は低階層情報受信ブロックＧからの出力を選択する。
【００２５】
このようにしたことで、デジタル放送受信機Ｅによれば、電波状況が悪化したときでもある程度満足できる映像および音響で放送内容を視聴することができる。
【００２６】
また、ビットエラー率検出部２６において検出したビットエラー率がビットエラー率Ｂ以上の予め定めたビットエラー率を超えたとき警報部２９は警報を発する。これは、低階層情報受信ブロックＧによる受信の場合において、検出ビットエラー率が予め定めたビットラー率を超えたときは、音響についても聴取することができない状態であると判断してその旨報知するのである。
【００２７】
また、図３に示す本発明の実施の一形態にかかるデジタル放送受信機の変形例のように、デジタル放送受信機Ｅにおけるビットエラー率検出部１６および２６に代わって、チューナ部１１の受信信号からＣ／Ｎを検出するＣ／Ｎ検出部４１とチューナ部２１の受信信号からＣ／Ｎを検出するＣ／Ｎ検出部４２を設けると共に、制御部２８に代わって制御部４３を設け、その他の構成はデジタル放送受信機Ｅと同様に構成してもよい。
【００２８】
図３に示す変形例のデジタル放送受信機Ｅ′の場合、Ｃ／Ｎ検出部４１によって検出されたＣ／Ｎに基づいて制御部４３の制御の下に、ビデオ／オーディオ切り換え部２７によってビデオ／オーディオデコーダ部１５とビデオ／オーディオデコーダ部２５にてデコードされたビデオ信号出力の一方とオーディオ信号出力の一方とを選択して出力させる。
【００２９】
この場合は、Ｃ／Ｎ検出部４１で検出されたＣ／Ｎを受けて制御部４３では、検出Ｃ／Ｎが予め定めたＢ′未満のとき、ビデオ／オーディオ切り換え部２７によってビデオ／オーディオデコーダ部２５においてデコードされたビデオ信号出力とオーディオ信号出力とが制御部４３の制御の下に選択されて出力される。
【００３０】
Ｃ／Ｎ検出部４１で検出された検出Ｃ／Ｎを受けて制御部４３では、検出Ｃ／Ｎが予め定めたＢ′以上でかつ予め定めたＡ′（Ａ′＞Ｂ′）未満のとき、ビデオ／オーディオ切り換え部２７によってビデオ／オーディオデコーダ部１５においてデコードされたビデオ信号出力とビデオ／オーディオデコーダ部２５においてデコードされたオーディオ信号出力とが制御部４３の制御の下に選択されて出力される。
【００３１】
Ｃ／Ｎ検出部４１で検出された検出Ｃ／Ｎを受けて制御部４３では、検出Ｃ／Ｎが予め定めたＡ′以上のとき、ビデオ／オーディオ切り換え部２７によってビデオ／オーディオデコーダ部１５においてデコードされたビデオ信号出力とオーディオ信号出力とが制御部４３の制御の下に選択されて出力される。
【００３２】
ここで、ビットエラー率とＣ／Ｎとの関係は図２に示す如くであり、検出Ｃ／Ｎが良いとき、すなわち検出Ｃ／ＮがＡ′以上のときはビデオ信号出力およびオーディオ信号出力は高階層情報受信ブロックＦ′の出力を選択する。検出Ｃ／Ｎが悪化してきて検出Ｃ／ＮがＢ′以上Ａ′未満のときは、ビデオ信号出力は高階層情報受信ブロックＦ′からの出力を選択し、かつオーディオ信号出力は低階層情報受信ブロックＧ′からの出力を選択する。検出Ｃ／Ｎがさらに悪化してきて、検出Ｃ／ＮがＢ′未満のときにはビデオ信号出力およびオーディオ信号出力は低階層情報受信ブロックＧ′からの出力を選択する。
【００３３】
このようにしたことで、デジタル放送受信機Ｅおよびデジタル放送受信機Ｅ′によれば、電波状況によってもある程度満足できる映像および音響で視聴することができる。
【００３４】
また、Ｃ／Ｎ検出部４２において検出したＣ／ＮがＢ′未満の予め定めたＣ／Ｎより低下したとき警報部４４は警報を発する。これは、低階層情報受信ブロックＧ′による受信の場合において、Ｃ／Ｎが予め定めたＣ／Ｎ未満になったときは、音響についても聴取することができない状態であると判断してその旨報知するのである。
【００３５】
【発明の効果】
以上説明したように本発明にかかるデジタル放送受信機によれば、電波状況が悪化したときでもある程度満足できる映像および音響で放送内容を視聴することができる。
【図面の簡単な説明】
【図１】本発明の実施の一形態にかかるデジタル放送受信機の構成を示すブロック図である。
【図２】デジタル放送信号受信のときのビットエラー率とＣ／Ｎの関係を示す模式図である。
【図３】本発明の実施の一形態にかかるデジタル放送受信機の変形例の構成を示すブロック図である。
【図４】従来のデジタル放送受信機の構成を示すブロック図である。
【符号の説明】
１  アンテナ
１１および２１  チューナ部
１２および２２  復調部
１３および２３  誤り訂正部
１４および２４  復号部
１５および２５  ビデオ／オーディオデコーダ部
１６および２６  ビットエラー率検出部
２７  ビデオ／オーディオ切替部
２８および４３  制御部
４１および４２  Ｃ／Ｎ検出部
３２  周波数制御部
ＥおよびＥ′  デジタル放送受信機
ＦおよびＦ′  高階層情報受信ブロック
ＧおよびＧ′  低階層情報受信ブロック
【図１】
0003982613.tif 000002
【図２】
0003982613.tif 000003
【図３】
0003982613.tif 000004
【図４】
0003982613.tif 000005